(57)【要約】【課題】  多大なコストアップを伴わず、且つユーザの利便性を損なわずに、読取画像への原稿影の写り込みを軽減する。【解決手段】  原稿を照射する光源と、前記原稿からの反射光を結像させるレンズと、結像された前記反射光を読取るセンサとを備えた画像読取装置において、前記光源と共に前記レンズと前記センサとを前記原稿の読取ラインに沿った回転軸を中心に回転移動させる移動手段を備えた。【選択図】  図２
2006128742.tif 000002
【特許請求の範囲】
【請求項１】
原稿を照射する光源と、前記原稿からの反射光を結像させるレンズと、結像された前記反射光を読取るセンサとを備えた画像読取装置において、
前記光源と共に前記レンズと前記センサとを前記原稿の読取ラインに沿った回転軸を中心に回転移動させる移動手段を備えたことを特徴とする画像読取装置。
【発明の詳細な説明】
【技術分野】
【０００１】
本発明は、画像読取装置に関し、特に読取画像への原稿影の写り込みを軽減する画像読取装置に関する。
【背景技術】
【０００２】
近年では、原稿ガラスの下面に設けられる読取光学系とは別に、自動原稿搬送装置に原稿と密着して読取りを行う密着型イメージセンサを設け、原稿の表面は原稿ガラス下面の読取光学系で読取り、原稿の裏面は自動原稿搬送装置内の密着型イメージセンサで読取ることで、原稿の表裏両面を同時に読み取れるようにして、高速読取りを実現した画像読取装置がある。
【０００３】
上記のような画像読取装置の備える密着型イメージセンサとして、コンパクトに構成可能なセルフォックスレンズを用いた密着型イメージセンサが多用されるようになってきている。
【０００４】
しかしながら、セルフォックスレンズを用いた密着型イメージセンサにおいては、図３に示すように、当該セルフォックスレンズ１２を避けた位置に配設されたランプ１１で、原稿１４を照射するため、原稿１４に対して斜め方向の照射となり、当該原稿１４の凹凸に応じた陰影、すなわち原稿影がセンサ１３にて読取られる問題がある。この問題の影響は、特に淡い原稿を読取る際に顕著に現れる。
【０００５】
この問題の解決策として、図４に示すように、ランプをランプ１１ａ、１１ｂの２灯にして、セルフォックスレンズ１２の両側から原稿１４を照射することで原稿影を消去することも可能であるが、ランプを２灯にすることは多大なコストアップに繋がり、現実的な解決策ではない。
【０００６】
そこで、原稿にキャリアシートを装着し、当該原稿をランプで照射した照射光を、キャリアシートで拡散させることにより、原稿影となる部分に光を十分に入射させて、原稿影を消去する方法が提案されている（特許文献１参照）。
【特許文献１】特開平０９−２３３０４号公報
【発明の開示】
【発明が解決しようとする課題】
【０００７】
しかしながら、キャリアシートを用いる方法は、当該キャリアシートを原稿１枚毎に装着する構成であるため、大変手間がかかり、ユーザの利便性の観点からしても有用ではない。
【０００８】
そこで、本発明は上記問題に鑑み、多大なコストアップを伴わず、且つユーザの利便性を損なわずに、読取画像への原稿影の写り込みを軽減することが可能な画像読取装置を提供することを目的とする。
【課題を解決するための手段】
【０００９】
本発明は、原稿を照射する光源と、前記原稿からの反射光を結像させるレンズと、結像された前記反射光を読取るセンサとを備えた画像読取装置を前提としている。
【００１０】
本発明は、前記光源と共に前記レンズと前記センサとを前記原稿の読取ラインに沿った回転軸を中心に回転移動させる移動手段を備えた構成としている。
【００１１】
このようにすれば、多大なコストアップを伴わず、且つユーザの利便性を損なわずに、読取画像への原稿影の写り込みを軽減することが可能となる。
【発明の効果】
【００１２】
多大なコストアップを伴わず、且つユーザの利便性を損なわずに、読取画像への原稿影の写り込みを軽減することが可能となる。
【発明を実施するための最良の形態】
【００１３】
以下、本発明の実施の形態を図面にしたがって詳細に説明する。
【００１４】
図１は、本発明の実施の形態における画像読取装置を構成する密着型イメージセンサＣＩＳ（Contact Image Sensor）１０を示す概略斜視図であり、図２は密着型イメージセンサＣＩＳ１０の内部構造を示す概略断面図である。
【００１５】
上記密着型イメージセンサＣＩＳ１０の箱体１０ａは、直方体の形状をなして機枠に固定されており、当該箱体１０ａ内部にはランプ１、セルフォックスレンズ２、センサ３を備え、上記ランプ１で原稿を照射し、その反射光を上記セルフォックスレンズ２で結像して、当該結像した反射光をセンサ３で読取る構成としている。
【００１６】
従来の密着型イメージセンサＣＩＳは、上述したように、セルフォックスレンズを避けた位置にランプを配設しているため、原稿に対して斜め方向の照射となり、原稿の陰影、すなわち原稿影の影響を受けてしまう。この影響は、淡い原稿を読取る際に特に問題となる。
【００１７】
そこで、本願では、ランプ１の原稿５に対する照射角度をできる限り垂直に近づけることができる移動手段４を備えることで、上記の課題を解決している。以下では、上記移動手段４の構成について説明する。
【００１８】
上記密着型イメージセンサＣＩＳ１０の箱体１０ａ方向には、画像読取装置の機枠の両端から、当該機枠に固定された軸心を同一とする所定長の回転軸４ｅ、４ｆが突出している。
【００１９】
上記回転軸４ｅ、４ｆの軸心は、原稿の読取りラインに沿っており、当該回転軸４ｅ、４ｆにはそれぞれ、アーム４ｃ、４ｄの下端部が回動可能に固定されている。
【００２０】
さらに、上記アーム４ｃ、４ｄの上端部にはそれぞれ、歯車４ａ、４ｂが回動可能に固定されており、歯車４ａは一方のアーム４ｃの上端部に配設されたモータ４ｇの駆動により回転駆動する。
【００２１】
上記アーム４ｃ、４ｄ間には、回転軸４ｅ、４ｆ方向に、複数のセルフォックスレンズ２、センサ３が平面状に配設され、その外側近傍には、それらと平行に直線状のランプ１が配設されており、それらは当該アーム４ｃと４ｄにより支持されている。
【００２２】
一方、上記箱体１０ａの両側面はそれぞれ、上方を円弧部とする同形状の扇型の開口部１０ｂ、１０ｃを形成しており、当該開口部１０ｂ、１０ｃの円弧部内周に形成したラックに上記歯車４ａ、４ｂのピニオンが噛み合うことで、当該歯車４ａ、４ｂがそれぞれ円弧部内周に沿って移動可能に構成している。
【００２３】
上記の如く構成される移動手段４は、上記歯車４ａ、４ｂの円弧部内周に沿った移動により、上記アーム４ｃ、４ｄを上記回転軸４ｅ、４ｆを中心に回転移動させることで、上記ランプ１、セルフォックスレンズ２、センサ３を、原稿の読取ラインを中心に回転移動させる。
【００２４】
一方で、上記アーム４ｃ、４ｄは、通常時は原稿５に対して垂直に位置しているが、例えば、ユーザが淡い原稿５を読取る際などの原稿影による影響が懸念される場合がある。
【００２５】
そこで、ユーザが原稿影対策ボタンを押下すると、上記モータ４ｇが所定の回転駆動量だけ駆動することにより、上記アーム４ｃ、４ｄは、上記回転軸４ｅ、４ｆを中心に回転移動し、上記ランプ１の原稿５に対する照射角度を垂直になるようにする。
【００２６】
このようにすれば、多大なコストアップを伴わず、且つユーザの利便性を損なわずに、読取画像への原稿影の写り込みを軽減することが可能となる。
【００２７】
なお、上記実施の形態では、原稿影対策ボタンの押下時に、上記アーム４ｃ、４ｄが上記ランプ１の原稿５に対する照射角度が垂直になる位置までの１段階の回転移動を行う場合について説明したが、複数段階で垂直に近づけていく構成としてもよいのは勿論である。この場合、上記モータ４ｇの回転駆動量を上記アーム４ｃ、４ｄの回転移動量（段階）に対応付けて保持させておくことで、原稿５の状態に応じたユーザの指定する段階まで回転移動できるようにすればよい。
【００２８】
また、回転移動した状態から、元の状態に戻す時は、初期状態ボタンを押下することにより、上記モータ４ｇが逆回転して元の状態に戻す構成とすればよいし、他の段階まで戻す時はその段階のボタンを押下することにより戻す構成とすればよい。
【００２９】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００３０】
多大なコストアップを伴わず、且つユーザの利便性を損なわずに、読取画像への原稿影の写り込みを軽減することが可能となり有用である。
【図面の簡単な説明】
【００３１】
【図１】本発明の実施の形態の画像読取装置を構成するＣＩＳの概略斜視図である。
【図２】本発明の実施の形態の画像読取装置を構成するＣＩＳの概略断面図である。
【図３】従来のＣＩＳの概略断面図である。
【図４】従来のＣＩＳの概略断面図である。
【符号の説明】
【００３２】
１  ランプ
２  セルフォックレンズ
３  センサ
４  移動手段
【図１】
2006128742.tif 000003
【図２】
2006128742.tif 000004
【図３】
2006128742.tif 000005
【図４】
2006128742.tif 000006